(57)【要約】無線通信システムが、ページングインジケータ情報を最初に処理することによるユーザ装置（ＵＥ）のページングを含め、基地局と複数のＵＥ間における無線通信を実施する。第１の実施形態は、ページングインジケータ（ＰＩ）を解釈して、事前設定されたデコード設定をアクチベートして事前指定されたページングチャネル（ＰＣＨ）におけるページングデータを処理するようにＵＥの物理層Ｌ１が設定されることに関する。第２の実施形態は、次に高いレベルＬ２の物理層コントロールが、ページングインジケータを解釈し、事前指定されたＰＣＨにおけるページングデータを処理するように物理層Ｌ１を設定することに関する。【特許請求の範囲】
【請求項１】
基地局と複数のユーザ装置（ＵＥ）の間でＵＥのページングを含む無線通信を実施する無線通信システムであって、無線通信信号を受信し、かつ、該受信信号を現行の設定に従って選択的に処理する設定可能な最低位の物理層Ｌ１、前記物理層Ｌ１を再設定するための物理層処理コントロールを含む第１のより高いレベルＬ２、および、該Ｌ２物理層処理コントロールにページングチャネルパラメータを提供するための無線リソースコントロール（ＲＲＣ）を含む第２のより高位のレイヤＬ３を有するマルチレイヤ処理システムで前記ＵＥが構築され、さらに、ページングインジケータ（ＰＩ）がＵＥによって対応するページングデータに先立って受信されるとともに、該ＵＥが前記ＰＩを受信した後に前記ページングデータを処理するように設定されるシステムにおけるＵＥにおいて、
所定のページングデータ処理設定データを格納するためのＵＥの物理層Ｌ１内に物理層バッファを備え、
該ＵＥの物理層Ｌ１は該ＵＥのＬ２物理層処理コントロールに関連付けられ、該ＵＥの物理層Ｌ１が該ＵＥのＲＲＣによって決められた特定のＰＩの受信を監視するように設定されるときに、対応するページングデータ処理設定データを前記物理層バッファに格納し、かつ、該ＵＥの物理層Ｌ１が該特定のＰＩを受信し処理すると、前記物理層バッファにアクセスして該格納されたデータを使用して該物理層を再設定するように設定されることを特徴とするＵＥ。
【請求項２】
基地局と複数のユーザ装置（ＵＥ）の間でＵＥのページングを含む無線通信を実施する無線通信システムであって、無線通信信号を受信し、かつ、該受信信号を現行の設定に従って選択的に処理する設定可能な最低位の物理層Ｌ１、前記物理層Ｌ１を再設定するための物理層処理コントロールを含む第１のより高いレベルＬ２、および、該Ｌ２物理層処理コントロールにページングチャネルパラメータを提供するための無線リソースコントロール（ＲＲＣ）を含む第２のより高位のレイヤＬ３を有するマルチレイヤ処理システムで前記ＵＥが構築され、さらに、ページングインジケータ（ＰＩ）がＵＥによって対応するページングデータに先立って受信されるとともに、該ＵＥが前記ＰＩを受信した後に前記ページングデータを処理するように設定されるシステムにおいて、
所定のページングデータ処理設定データを格納するためのバッファを備え、
該ＵＥの第１のより高いレベルＬ２は該ＵＥのＲＲＣに関連付けられ、該ＵＥのＲＲＣによって決められた特定のＰＩが、該ＵＥの第１のより高いレベルＬ２に明らかにされ、ＵＥの物理層Ｌ１が該特定のＰＩを監視するように設定されるときに、対応するページングデータ処理設定データが前記バッファに格納されるようにし、および、
該ＵＥの物理層Ｌ１が該ＵＥのＬ２物理層処理コントロールに関連付けられ、該ＵＥの物理層Ｌ１が該特定のＰＩが受信され処理されたことを明らかにしたときに、該ＵＥの物理層Ｌ１が、前記バッファに格納されている該ページングデータ処理設定データに基づいて該ＲＲＣと通信せずにページングデータを処理するように設定されるようにした
ことを特徴とするＵＥ。
【請求項３】
前記バッファは、所定のページングデータ処理設定データを格納するための前記ＵＥの物理層Ｌ１内の物理層バッファであり、
前記ＵＥの物理層Ｌ１は前記ＵＥのＬ２物理層処理コントロールに関連付けられ、前記ＵＥの物理層Ｌ１が前記ＵＥのＲＲＣによって決められた特定のＰＩの受信を監視するように設定されるときに、対応するページングデータ処理設定データを前記物理層バッファに格納し、かつ、前記ＵＥの物理層Ｌ１が前記特定のＰＩを受信し処理すると、前記バッファにアクセスして該格納されたデータを使用して該物理層を再設定するように設定されることを特徴とする請求項２に記載のＵＥ。
【請求項４】
前記物理層Ｌ１は、前記特定のＰＩを監視するように設定されるときに特定のページ指示チャネル（ＰＩＣＨ）を監視するように設定され、かつ、前記物理層Ｌ１は、対応するページングデータを処理するように設定されるときに２次共通制御物理チャネル（ＳＣＣＰＣＨ）によってトランスポートされる特定の別個のページングチャネル（ＰＣＨ）を監視するように設定されることを特徴とする請求項３に記載のＵＥ。
【請求項５】
前記バッファは、所定のページングデータ処理設定データを格納するための前記ＵＥの第１のより高いレベルＬ２内の物理層処理コントロールバッファであり、
前記ＵＥの第１のより高いレベルＬ２は前記ＵＥのＲＲＣに関連付けられ、前記ＵＥのＲＲＣによって決められた特定のＰＩが、前記ＵＥの第１のより高いレベルＬ２に明らかにされるときに、対応するページングデータ処理設定データが前記物理層処理コントロールバッファに格納されるようにし、および、
前記ＵＥの物理層Ｌ１が前記ＵＥのＬ２物理層処理コントロールに関連付けられ、前記ＵＥの物理層Ｌ１が前記特定のＰＩが受信され処理されたことを前記ＵＥの第１のより高いレベルＬ２に明らかにしたときに、前記ＵＥの物理層Ｌ１が、前記物理層処理コントロールバッファに格納されている前記ページングデータ処理設定データに基づいてＵＥのＬ２処理コントロールにより、対応するページングデータを処理するように設定されるようにした
ことを特徴とする請求項２に記載のＵＥ。
【請求項６】
前記物理層Ｌ１は、前記特定のＰＩを監視するように設定されるときに特定のページ指示チャネル（ＰＩＣＨ）を監視するように設定され、かつ、前記物理層Ｌ１は、前記対応するページングデータを処理するように設定されるときに２次共通制御物理チャネル（ＳＣＣＰＣＨ）によってトランスポートされる特定の別個のページングチャネル（ＰＣＨ）を監視するように設定されることを特徴とする請求項５に記載のＵＥ。
【請求項７】
基地局と複数のユーザ装置（ＵＥ）の間でＵＥのページングを含む無線通信を実施する無線通信システムであって、無線通信信号を受信し、かつ、該受信信号を現行の設定に従って選択的に処理する設定可能な最低位の物理層Ｌ１、前記物理層Ｌ１を再設定するための物理層処理コントロールを含む第１のより高いレベルＬ２、および、該Ｌ２物理層処理コントロールにページングチャネルパラメータを提供するための無線リソースコントロール（ＲＲＣ）を含む第２のより高位のレイヤＬ３を有するマルチレイヤ処理システムで前記ＵＥが構築され、さらに、ページングインジケータ（ＰＩ）がＵＥによって対応するページングデータに先立って受信されるとともに、該ＵＥが前記ＰＩを受信した後に前記ページングデータを処理するように設定されるシステムにおけるページング処理方法において、
所定のページングデータ処理設定データを格納するためのＵＥバッファを提供すること、
該ＵＥのＲＲＣを使用して該ＵＥが監視すべき特定のＰＩを決めること、
該特定のＰＩを該ＵＥの第１のより高いレベルＬ２に明らかにし、該Ｌ２物理層処理コントロールを使用して、前記ＵＥバッファに対応するページングデータ処理設定データを格納することと連携して該特定のＰＩを監視するように該ＵＥの物理層Ｌ１を設定すること、および、
該ＵＥの物理層Ｌ１が該特定のＰＩが該ＵＥによって受信されたことを明らかにしたときに、前記ＵＥバッファに格納された該ページングデータ処理設定データに基づいて該ＲＲＣと通信せずにページングデータを処理するように該ＵＥの物理層Ｌ１を設定すること
を含むことを特徴とする方法。
【請求項８】
前記提供されたバッファは、所定のページングデータ処理設定データを格納するための前記ＵＥの物理層Ｌ１内の物理層バッファであり、
前記ＵＥの物理層Ｌ１が前記ＵＥのＲＲＣによって決められた特定のＰＩの受信を監視するように設定されるときに、対応するページングデータ処理設定データを前記物理層バッファに格納し、かつ、前記ＵＥの物理層Ｌ１が前記特定のＰＩを受信し処理すると、前記バッファにアクセスして該格納されたデータを使用して該物理層を再設定して前記対応するページングデータを処理するように設定されることを特徴とする請求項７に記載のＵＥ。
【請求項９】
前記物理層Ｌ１は、前記特定のＰＩを監視するように設定されるときに特定のページ指示チャネル（ＰＩＣＨ）を監視するように設定され、かつ、前記物理層Ｌ１は、前記対応するページングデータを処理するように設定されるときに２次共通制御物理チャネル（ＳＣＣＰＣＨ）によってトランスポートされる特定の別個のページングチャネル（ＰＣＨ）を監視するように設定されることを特徴とする請求項８に記載の方法。
【請求項１０】
前記提供されたバッファは、所定のページングデータ処理設定データを格納するための前記ＵＥの第１のより高いレベルＬ２内の物理層処理コントロールバッファであり、
前記特定のＰＩが前記ＵＥの第１のより高いレベルＬ２に明らかにされるときに、対応するページングデータ処理設定データが前記物理層処理コントロールバッファに格納され、
前記ＵＥの物理層Ｌ１が前記特定のＰＩが前記ＵＥによって受信されたことを確認すると、前記ＵＥの物理層Ｌ１が前記特定のＰＩが受信されたことを前記ＵＥの第１のより高いレベルＬ２に明らかにし、かつ、前記ＵＥの物理層Ｌ１は、前記物理層処理コントロールバッファに格納されている前記ページングデータ処理設定データに基づいて前記ＵＥのＬ２処理コントロールにより、対応するページングデータを処理するように設定されることを特徴とする請求項７に記載の方法。
【請求項１１】
前記物理層Ｌ１は、前記特定のＰＩを監視するように設定されるときに特定のページ指示チャネル（ＰＩＣＨ）を監視するように設定され、かつ、前記物理層Ｌ１は、前記対応するページングデータを処理するように設定されるときに２次共通制御物理チャネル（ＳＣＣＰＣＨ）によってトランスポートされる特定の別個のページングチャネル（ＰＣＨ）を監視するように設定されることを特徴とする請求項１０に記載の方法。
【発明の詳細な説明】
【技術分野】
【０００１】
本発明は、現行の第３世代パートナシッププロジェクト（３ＧＰＰ）規格に従って設計されたシステムなどの複数の処理層を有する無線通信システムにおいて使用される通信装置におけるページング処理の効率を向上させることに関する。
【背景技術】
【０００２】
無線電気通信の普及は、利用可能な帯域幅の物理的限界および均一性の問題の認識をもたらした。これに応じて、標準化の必要性が電気通信業界に浸透している。１９９８年１月、欧州電気通信標準化協会−特別移動体グループ（European Telecommunications Standard Institute-Special Mobile Group）（ＥＴＳＩ  ＳＭＧ）が、ユニバーサルモバイルテレコミュニケーションズシステムズ（Universal Mobile Telecommunications Systems）（ＵＭＴＳ）と呼ばれる第３世代無線システム用の無線アクセススキームに関して合意した。ＵＭＴＳ標準をさらに実施するため、第３世代パートナシッププロジェクト（３ＧＰＰ）が、１９９８年１２月に形成された。３ＧＰＰは、共通の第３世代移動体無線標準に取り組みつづけている。
【０００３】
現行の３ＧＰＰ規格に準拠する通常のＵＭＴＳシステムアーキテクチャを図１に示している。ＵＭＴＳネットワークアーキテクチャは、現在、公開されている３ＧＰＰ規格ドキュメントで詳細に定義されたＩＵとして知られるインターフェースを介してＵＭＴＳ地上無線アクセス網（ＵＴＲＡＮ）と互いに接続されたコアネットワーク（ＣＮ）を含む。
【０００４】
ＵＴＲＡＮは、ＵＵとして知られる無線インターフェースを介してユーザ装置（ＵＥ）を通じてユーザに無線電気通信を提供するように設定されている。ＵＴＲＡＮは、３ＧＰＰにおいてノードＢとして知られる基地局群を有し、基地局群は集合として、ＵＥとの無線通信のための地理的カバレージを提供する。ＵＴＲＡＮでは、１つ以上のノードＢのグループが、３ＧＰＰでＩｕｂとして知られるインターフェースを介して無線ネットワークコントローラ（ＲＮＣ）に接続される。ＵＴＲＡＮは、図１に示した例で２つを示している、異なるＲＮＣに接続されたノードＢのいくつかのグループを有することが可能である。ＵＴＲＡＮ内で複数のＲＮＣが提供される場合、ＲＮＣ間通信が、Ｉｕｒインターフェースを介して実行される。
【０００５】
３ＧＰＰ、および他の比較的高度なシステムのアーキテクチャで重要なのは、国際標準化機構（ＩＳＯ）が開発したオープンシステムズインターナショナル（Open Systems International）（ＯＳＩ）７レイヤモデルなどのマルチレイヤ構造の採用である。
【０００６】
３ＧＰＰシステムを介して実施されたＯＳＩモデルは、無線通信信号を実際に送受信するそれぞれの局、基地局およびユーザ装置において物理層を有する。物理層は、一般に、レイヤ１またはＬ１と呼ばれる。その他の標準の層には、レイヤ２（Ｌ２）であるデータリンク層、レイヤ３（Ｌ３）であるネットワーク層、レイヤ４（Ｌ４）であるトランスポート層、レイヤ５（Ｌ５）であるセッション層、レイヤ６（Ｌ６）であるプレゼンテーション層、およびレイヤ７（Ｌ７）であるアプリケーション層が含まれる。複数層の階層を介して、通信情報および通信データが、様々な事前定義されたチャネルを介して伝えられ、情報は、より高位の層の機能を介してフォーマットされ、配られて、実際の送信のために物理層に送られる。３ＧＰＰ技術規格によって定義された複数層の構造および関連するチャネル定義、およびデータフォーマット構造は、極めて高度で、比較的効率的なデータ通信システムを提供する。
【０００７】
３ＧＰＰシステムで実施される１つの機能がページングである。（非特許文献１）および（非特許文献２）ＴＳ２５．２２１およびＴＳ２５．３３１Ｖ３．１．２．０などの現行の３ＧＰＰ技術規格の下では、ページング機能は、２つの異なるデータ信号、すなわち、ページインジケータ（ＰＩ）および実際のページングデータを利用して実施される。現行の３ＧＰＰ規格によれば、ＰＩは、実際のページデータに先立ってページ指示チャネル（ＰＩＣＨ）で送信される。そのデータは、２次共通制御物理チャネル（ＳＣＣＰＣＨ）によってトランスポートされる別個のページングチャネル（ＰＣＨ）で送信される。
【０００８】
基地局群は、多くのＵＥ向けに情報を送信しているので、個々のＵＥは、その特定のＵＥに関連する基地局群からブロードキャストされている情報のその部分を処理するだけでよい。ページングデータを処理するため、ＵＥは、そのＵＥに指定された適切なＰＩを受信するまで、ＰＩＣＨを監視する。適切なＰＩ信号をＵＥが受信すると、そのＵＥは、ＳＣＣＰＣＨを介して関連するＰＣＨでＵＥに向けて実際のページングデータが送信されていることを知る。適切なＰＩ信号を受信しなかった場合、ＵＥは、異なるＵＥを宛先とするページングデータなどの、ＳＣＣＰＣＨ上のページングデータを処理する必要がない。
【０００９】
他のＵＥを宛先とするデータの不必要な処理の必要性を回避するため、ＵＥの物理層、Ｌ１は、どの信号を処理するか、ならびに信号が、その信号のフォーマットに従って処理される仕方についてＵＥのより高位の層によって選択的に指示される。物理層の直接制御の多くは、データリンク層、レイヤ２によって行われ、レイヤ２は、無線リソースコントロール（ＲＲＣ）を通常は含むネットワーク層、レイヤ３から命令および情報を受け取る。ＲＲＣは、レイヤ２内のＬ１コントロール処理要素群に情報を提供して、事前定義されたＳＣＣＰＣＨなどの特定のチャネルで受信されたデータを処理するように物理層、Ｌ１に指示する。
【００１０】
３ＧＰＰシステムでは、各ＳＣＣＰＣＨが、前述したとおり、ページングチャネル（ＰＣＨ）向けのデータを含むことが可能なデータをトランスポートするための特定のフォーマットを有する。基地局は、複数のＰＩＣＨおよびＰＣＨを使用して、複数のページングチャネルをブロードキャストすることができる。しかし、現行の３ＧＰＰ規格は、ＰＣＨを１つだけＳＣＣＰＣＨによって伝送することが可能であること、および、各ＰＣＨに関して固有のＰＩＣＨが定義されることを規定している。複数のＰＩＣＨがブロードキャストされている場合、ＵＥは、（非特許文献３）に記載される周知のアルゴリズムを使用して、ＰＩ信号に関してどのＰＩＣＨを監視することができるかについて判定する。
【００１１】
ＵＥがどのページングチャネルを監視すべきかについて選択された後で、レベル３のＲＲＣが、適切なＰＩＣＨで受信された信号を処理するように物理層に命令するようにＬ１コントローラに指示する。その時点で、ＰＩＣＨとＰＣＨとの１対１対応が存在するため、どのＰＣＨが、したがってどのＳＣＣＰＣＨが、物理層が監視するように命令されたＰＩＣＨに関連しているかが分かる。ＵＥが、監視しているＰＩＣＨを介して適切なＰＩを受信すると、ＵＥの物理層Ｌ１は、関連するページングデータを処理するために関連するＰＣＨを伝送しているＳＣＣＰＣＨ上のデータを処理するように命令されなければならない。
【００１２】
図２に示すとおり、従来の実施形態は、ＰＩＣＨを物理層、Ｌ１で処理させるが、ＰＣＨを受信する決定は、通常、ＲＲＣ内部のより高位の層によって行われる。したがって、処理済みのページングインジケータデータは、Ｌ１処理によってＬ２のＬ１コントローラに送られ、次に、Ｌ３のＲＲＣに送られ、ＲＲＣは、ページングインジケータが肯定的である場合、ＰＣＨデータを受信し、処理するようにＬ２のＬ１コントローラを介してＬ１処理に通信する。Ｌ１コントローラは、レイヤ１に対するレイヤ２／３インターフェースである。
【００１３】
例示および比較の目的で、図２は、ＰＩと対応するページングデータ間に２フレームのギャップが存在する非常に一般的な例を示している。ギャップのサイズは、ＰＣＨ受信に関する無線リンクおよびトランスポートチャネル（ＲＬ／ＴＲ）の設定で分かっている。
【００１４】
図２に示すとおり、従来、物理層Ｌ１は、各フレームに関する受信（ＲＸ）信号のチップ処理を、信号が受信されるにつれて行い、次に、レイヤ２のＬ１コントローラによって物理層Ｌ１が設定されている形に従って受信フレームを処理する。このため、物理層Ｌ１は、自らが監視しているＰＩＣＨで受信されたＰＩを、ＰＩが含まれる受信フレーム、フレーム＃１の終りまでにデコードする。図２に黙示されているのは、物理層Ｌ１が、ＲＲＣから受け取られた命令に基づいて特定のＰＩＣＨを監視するようにＬ１コントローラによって事前設定されていることである。
【００１５】
デコードされると、ＰＩは、Ｌ１によってＬ２の物理層コントロール処理装置に送られ、物理層コントロール処理装置は、デコード済みのＰＩに基づいてＬ３のＲＲＣからの新規の命令を要求する。すると、ＲＲＣは、Ｌ２のコントロールプロセッサに応答して、特定のＰＣＨからのページングデータを処理するように物理層Ｌ１を設定するようにコントロールプロセッサに命令する。Ｌ２プロセッサは、指定されたＰＣＨで受信されたページングデータを処理するようにＰＣＨ向けに物理層を設定する。この命令は、通常、およそ１フレーム半の時間にわたり、すなわち、ＰＩが受信されたフレームに続くフレーム＃２に全体にわたり、次のフレーム＃３にまで及ぶ。ページングデータは、次のフレーム、フレーム＃４で送信され、その時点では、物理層Ｌ１は、選択されたＰＣＨでページングデータを受信するように既に設定済みであり、その設定命令に従って、フレーム＃５中に、すなわち、フレーム＃４におけるページングデータの受信／チップ処理が終了した後、ページングデータを処理する。
【００１６】
本発明者らは、ＰＩによって示されるページングデータを処理する物理層Ｌ１の設定をより効率的に実行することができることを認識している。
【００１７】
【非特許文献１】３ＧＰＰ技術規格ＴＳ２５．２２１
【非特許文献２】３ＧＰＰ技術規格ＴＳ２５．３３１Ｖ３．１．２．０
【非特許文献３】３ＧＰＰ技術規格ＴＳ２５．３０４Ｖ３．１１．０セクション８
【発明の開示】
【発明が解決しようとする課題】
【００１８】
本発明は、特定のインジケータ情報の処理のための２つの異なる実施形態を含む。
【課題を解決するための手段】
【００１９】
本発明の第１の実施形態は、ページングインジケータＰＩを解釈して、事前設定されたデコード設定をアクチベートして事前指定されたＰＣＨにおけるページデータを処理するように物理層Ｌ１が設定されることに関する。第２の実施形態は、Ｌ２の物理層コントロールが、ページングインジケータを解釈し、事前指定されたＰＣＨにおけるページングデータを処理するように物理層Ｌ１を設定することに関する。
【００２０】
一般に、無線通信システムは、ユーザ装置（ＵＥ）のページングを含め、基地局と複数のＵＥ間における無線通信を実施する。好ましくは、ＵＥは、無線通信信号を受信して、その時点で現行の設定に従って受信された信号を選択的に処理する設定可能な最低位の物理層Ｌ１を有するマルチレイヤ処理システムを有して構築される。好ましくは、ＵＥは、物理層Ｌ１を再設定するための物理層処理コントロールを含む第１のより高いレベルＬ２と、Ｌ２物理層処理コントロールにページングチャネルパラメータを与えるための無線リソースコントロール（ＲＲＣ）を含む第２のより高位のレイヤＬ３とを有する。
【００２１】
従来技術と同様に、ページングインジケータ（ＰＩ）が、対応するページングデータに先立ってＵＥによって受信され、ＵＥは、ＰＩを受信した後にページングデータを処理するように設定される。
【００２２】
本発明は、所定のページングデータ処理設定データを格納するための低レベルバッファをＵＥに備える。ＵＥの第１のより高いレベルＬ２は、ＵＥのＲＲＣに関連付けられ、ＵＥのＲＲＣによって決められた特定のＰＩが、ＵＥの第１のより高いレベルＬ２に明らかにされた際、ＵＥの物理層Ｌ１が、その特定のＰＩを監視するように設定されるようにする。これに関連して、対応するページングデータ処理設定データが、バッファに格納される。ＵＥの物理層Ｌ１は、ＵＥのＬ２物理層処理コントロールに関連付けられ、特定のＰＩが受信されたことをＵＥの物理層Ｌ１が特定した場合、ＵＥの物理層Ｌ１が、以降、ＲＲＣ、またはより高位の層、すなわち、Ｌ２より高位の層の他のコンポーネントと通信することなしに、バッファに格納されたページングデータ処理設定データに基づいてページングデータを処理するように設定されるようにする。
【００２３】
好ましくは、ＵＥのより低位の層のバッファは、所定のページングデータ処理設定データを格納するためのＵＥの物理層Ｌ１内の物理層バッファである。その場合、ＵＥの物理層Ｌ１は、ＵＥのＬ２物理層処理コントロールに関連付けられ、ＵＥの物理層Ｌ１が、ＵＥのＲＲＣによって決められた特定のＰＩの受信を監視するように設定されている場合、対応するページングデータ処理設定データが、物理層バッファに格納される。その時点で、ＵＥの物理層Ｌ１は、その特定のＰＩを受信し、処理すると、そのバッファにアクセスし、格納されているデータを使用して自らを再設定するようにも設定されている。３ＧＰＰシステムでは、物理層Ｌ１は、特定のＰＩを監視するように設定されている場合、特定のページ指示チャネル（ＰＩＣＨ）を監視するように設定され、物理層Ｌ１は、対応するページングデータを処理するように設定されている場合、２次共通制御物理チャネル（ＳＣＣＰＣＨ）によってトランスポートされる特定の別個のページングチャネル（ＰＣＨ）を監視するように設定される。
【００２４】
別法として、ＵＥのより低位の層のバッファは、所定のページングデータ処理設定データを格納するためのＵＥの第１のより高いレベルＬ２内の物理層処理コントロールバッファである。その場合、ＵＥの第１のより高いレベルＬ２は、ＵＥのＲＲＣに関連付けられ、ＵＥのＲＲＣによって決められた特定のＰＩがＵＥの第１のより高いレベルＬ２に明らかにされた際、対応するページングデータ処理設定データが、物理層処理コントロールバッファに格納されるようにする。その場合、ＵＥの物理層Ｌ１は、ＵＥのＬ２物理層処理コントロールに関連付けられ、特定のＰＩが受信されたことをＵＥの物理層Ｌ１がＵＥの第１のより高いレベルＬ２に明らかにした際、ＵＥの物理層Ｌ１が、物理層処理コントロールバッファに格納されたページングデータ処理設定データに基づいてＵＥのＬ２処理コントロールにより、対応するページングデータを処理するように設定されるようにする。ＵＥが３ＧＰＰシステム用である場合、物理層Ｌ１は、特定のＰＩを監視するように設定されているとき、特定のページング指示チャネル（ＰＩＣＨ）を監視するように設定され、物理層Ｌ１は、対応するページングデータを処理するように設定されているとき、２次共通制御物理チャネル（ＳＣＣＰＣＨ）によってトランスポートされる特定の別個のページングチャネル（ＰＣＨ）を監視するように設定される。
【００２５】
本発明の他の目的および利点は、以下の詳細な説明および図面から当業者には明白となろう。
【発明を実施するための最良の形態】
【００２６】
ユーザ装置（ＵＥ）のページングを含め、基地局と複数のＵＥ間における無線通信を実施する図１に示したような無線通信システムにおいて使用するためのＵＥを提供する。ＵＥは、マルチレイヤ処理システム、好ましくは、図３ｂおよび図４ｂに示した７レイヤシステムを有して設定される。設定可能な最低位の物理層Ｌ１が、無線通信信号を受信し、その時点で現行の設定に従って受信された信号を選択的に処理する。好ましくは、より高いレベル、Ｌ２が、物理層Ｌ１を再設定するための物理層処理コントロールを含み、第２のより高位のレイヤＬ３が、Ｌ２物理層処理コントロールにページングチャネルパラメータを与えるための無線リソースコントロール（ＲＲＣ）を含む。
【００２７】
好ましくは、システムは、現行の３ＧＰＰ規格に準拠して、基地局が、実際のページデータに先立ってページ指示チャネル（ＰＩＣＨ）でページングインジケータ（ＰＩ）を送信することでページングを開始する。現行の３ＧＰＰ規格は、ページデータが、ＰＩの送信から２フレーム、４フレーム、または８フレームのギャップをおいて２次共通制御物理チャネル（ＳＣＣＰＣＨ）によってトランスポートされる別個のページングチャネル（ＰＣＨ）で送信されることを規定している。ＰＩは、対応するページングデータに先立ってＵＥによって受信され、ＵＥは、ＰＩを受信した後、ページングデータを処理するように設定される。
【００２８】
本発明の第１の実施形態は、ページングインジケータ（ＰＩ）および関連するページングデータの処理のためのシステムを有するユーザ装置（ＵＥ）であって、ＵＥの物理層Ｌ１処理が、図３ａおよび図３ｂに示すとおりページングインジケータを解釈するユーザ装置を提供することである。これを実施するため、ＵＥの物理層Ｌ１は、物理層Ｌ１が、指定されたＰＩの受信について対応するＰＩＣＨを監視するように設定されている場合、ＰＣＨ受信向けの無線リンクおよびトランスポートチャネル（ＲＬ／ＴＲ）の設定が格納されるバッファを含む。指定されたＰＩの受信について特定のＰＩＣＨを監視するようにする物理層Ｌ１の事前設定には、指定されたＰＩが受信され、デコードされた際、物理層が、バッファに格納されたデータに従って自らを自動的に再設定するようにする命令が含まれる。この実施形態により、不要な層間通信が減少する。というのは、Ｌ１処理が指定されたＰＩについて監視するように設定された時点でより高位の層によって前に処理されたシステム情報に基づき、要求される設定情報がＬ１処理に利用可能だからである。したがって、本発明は、不要な電力消費を減少させる。というのは、Ｌ１がＰＩを処理して、ＵＥが所与のＤＲＸサイクルにおいてＰＣＨを受信する必要があるかどうかを判定している間、より高位の層のプロセッサ群が、電源を落とした状態のままであることが可能だからである。多くのＵＥは、バッテリ駆動式であり、バッテリ寿命は、より高位の層に関する処理コンポーネントに頻繁に電力供給することにより相当に短くなる可能性があるため、電力の節約は、ＵＥに重要である。
【００２９】
図２に示した従来システムと同様に、図３ａおよび図３ｂに示した本発明の実施形態では、物理層Ｌ１が、各フレームに関する受信（ＲＸ）信号のチップ処理を、信号が受信されるにつれて行い、次に、レイヤ２のＬ１コントローラによって物理層Ｌ１が設定されている形に従って受信フレームを処理する。このため、物理層Ｌ１は、自らが監視しているＰＩＣＨで受信されたＰＩを、ＰＩが含まれる受信フレーム、フレーム＃１の終りまでにデコードする。図２に黙示されているのは、物理層Ｌ１が、ＲＲＣから受け取られた命令に基づいて特定のＰＩＣＨを監視するようにＬ１コントローラによって事前設定されていることである。しかし、従来のシステムとは異なり、ＵＥは、指定されたＰＩが物理層によってデコードされた際に使用するために、ＰＣＨ処理設定が物理層Ｌ１バッファに格納されるように設定されている。したがって、ＰＩは、デコードされると、ＰＩがＬ１によってＬ２の物理層コントロール処理装置に送られ、次に、この処理装置が、Ｌ３のＲＲＣから新規の命令を要求するのではなく、物理層Ｌ１が、対応するＰＣＨで受信される対応するページングデータを処理するのに要求される設定を自動的にとるようにトリガする。
【００３０】
過度な層間通信（signaling）をなくすことに加え、本発明は、対応するページングデータの送受信を早めることも可能にする。従来技術と同様に、本発明を実施するＵＥは、フレーム＃１内でＰＩを受信し、フレーム＃５内で処理するためにフレーム＃４内でＰＣＨにおける対応するページングデータの受信の準備ができていることが可能である。しかし、本発明は、ＵＥが、フレーム＃１内でＰＩを受信し、フレーム＃４内で処理するためにフレーム＃３内でＰＣＨにおける対応するページングデータの受信の準備ができていることも可能にする。したがって、現行の３ＧＰＰ規格が、ＰＩとページングデータ間で１フレームのギャップを許すように修正された場合、ＵＥを変更することなしに、より早いフレーム期間でＰＣＨおよびページデータを処理するように適切なデータをバッファに供給するだけで、そのようなより高速のページングプロセスに対応することができる。
【００３１】
本発明の第２の実施形態は、ページングインジケータ（ＰＩ）および関連するページングデータの処理のためのシステムを備えたユーザ装置（ＵＥ）であって、Ｌ２のＵＥの物理層Ｌ１コントローラが、図４ａおよび図４ｂに示すとおりページングインジケータを解釈するユーザ装置を提供することである。これを実施するため、ＵＥの物理層Ｌ１コントローラは、指定されたＰＩの受信について対応するＰＩＣＨを監視するように物理層Ｌ１を設定するようにＬ１コントローラが命令された際、ＰＣＨ受信向けの無線リンクおよびトランスポートチャネル（ＲＬ／ＴＲ）の設定が格納される関連するＬ２バッファを有する。好ましくは、ＵＥは、パラメータおよびその他の情報をＬ２のコントローラに与えるレベル３の無線リソースコントローラ（ＲＲＣ）を有して設定される。
【００３２】
指定されたＰＩの受信について特定のＰＩＣＨを監視するように物理層Ｌ１を設定するようにＬ２のＬ１コントローラにＲＲＣが命令した場合、Ｌ２バッファは、指定されたＰＩの受信後に対応するＰＣＨで受信される対応するページデータを受信するためにどのように設定されるべきかを物理層Ｌ１に命令するのに必要なパラメータを受け取る。したがって、物理層Ｌ１がＰＩをデコードすると、ＰＩは、Ｌ２のＬ１コントローラに送られ、Ｌ１コントローラは、Ｌ２バッファに格納されているデータを使用して、Ｌ３のＲＲＣからのさらなる命令を要求することなしに、対応するＰＣＨで受信される対応するページングデータを処理するためにどのように設定されるべきかを物理層Ｌ１に直接に命令する。
【００３３】
この実施形態により、不要な層間通信も減少する。というのは、Ｌ２のＬ１コントローラが、指定されたＰＩについて監視するように物理層Ｌ１を設定するのに必要とされるパラメータを受け取った時点で、より高位の層によって前に処理されたシステム情報に基づき、要求される設定情報がＬ１コントローラに利用可能だからである。詳細には、ＲＲＣへの通信、およびＲＲＣからの通信が少なくなる。
【００３４】
両方の実施形態が実行可能であるが、第１の実施形態の方が第２の実施形態より高速である。しかし、時間が許す場合、Ｌ１処理層より上で通常は行われるいくらかのロジックおよびバッファリングが、第１の実施形態では要求される。第１の実施形態で実行されるＬ１処理がページングインジケータを解釈し、ＰＣＨチャネルデータの受信に関する判定を行う場合、処理時間、通信（signaling）の減少、および電力消費の減少に利点がある。電力消費が減少しないことを除き、同様の利点が第２の実施形態に関して実現される。
【００３５】
また本発明は、ソフトウェアモジュールとして完全に実施することもできることを理解されたい。そのような場合、モジュールは、システム管理者によって所望される変更に容易に適合可能である。例えば、Ｌ１処理で実施されるものとして前述した一部の簡単な機能をＬ１コントロールによって実施することができ、その逆も可能である。
【図面の簡単な説明】
【００３６】
【図１】現行の３ＧＰＰ規格に準拠する通常のＵＭＴＳシステムを示す概略図である。
【図２】ページングインジケータ処理に関する従来技術のスキームを示すタイミング図である。
【図３ａ】本発明によるページングインジケータ処理に関する第１の実施形態を示すタイミング図である。
【図３ｂ】本発明の第１の実施形態を実施するように設定されたＵＥを示す図である。
【図４ａ】本発明によるページングインジケータ処理に関する第２の実施形態を示すタイミング図である。
【図４ｂ】本発明の第２の実施形態を実施するように設定されたＵＥを示す図である。
【図１】
2005522104.tif 000002
【図２】
2005522104.tif 000003
【図３ａ】
2005522104.tif 000004
【図３ｂ】
2005522104.tif 000005
【図４ａ】
2005522104.tif 000006
【図４ｂ】
2005522104.tif 000007
【国際調査報告】
2005522104.tif 000008
2005522104.tif 000009